(57)【要約】      （修正有）【課題】被彫刻媒体の密着性を向上させ、微細彫刻を正確に行わせることを可能にする被彫刻媒体固定構造を提供する。【解決手段】彫刻信号に基づいて振動する彫刻針によりシート状又は薄板状の被彫刻媒体の表面に微細彫刻する画像彫刻装置に被彫刻媒体を吸着固定する被彫刻媒体固定構造であって、被彫刻媒体を吸着固定しながら微細彫刻を可能とする微細孔が平坦な多孔平面部１９ａに開口した多孔平面部材１９と、微細孔からの吸引を行わせるための吸気部２１とを備えたことを特徴とする。【選択図】図２
2015171764.tif 000002
【特許請求の範囲】
【請求項１】
彫刻信号に基づいて振動する彫刻針によりシート状又は薄板状の被彫刻媒体の表面に微細彫刻する画像彫刻装置に前記被彫刻媒体を吸着固定する被彫刻媒体固定構造であって、
前記被彫刻媒体を吸着固定しながら前記微細彫刻を可能とする微細孔が平坦な表面に開口した多孔平面部と、
前記微細孔からの吸引を行わせるための吸気部と、
を備えたことを特徴とする被彫刻媒体固定構造。
【請求項２】
請求項1記載の被彫刻媒体固定構造であって、
表面に基準面を備え前記微細彫刻のために前記被彫刻媒体をセットする被彫刻媒体セット台と、
前記多孔平面部を備えた吸着ベースと、
前記被彫刻媒体セット台に設けられ前記吸着ベースを嵌合させる吸着ベース嵌合凹部と、
前記吸気部を前記吸着ベースに接続するために前記吸着ベース嵌合凹部に設けられた貫通部と、
前記吸着ベース嵌合凹部内の四隅に設けられ前記吸着ベースの四隅を受けるための吸着ベース受け部と、
を備えたことを特徴とする被彫刻媒体固定構造。
【請求項３】
請求項1又は２記載の被彫刻媒体固定構造であって
前記吸着ベースは、吸着ベース本体と、
前記多孔平面部を嵌合させて取り付けるために前記吸着ベース本体に設けられた多孔平面部嵌合凹部と、
前記多孔平面部嵌合凹部の内周に設けられ前記多孔平面部を受けて該多孔平面部の裏面と前記多孔平面部嵌合凹部の底部との間に空間部を形成する多孔平面部受け部と、
前記吸気部を前記空間部に連通接続させるために前記多孔平面部嵌合凹部の底部に設けられた接続孔と、
を備えたことを特徴とする被彫刻媒体固定構造。
【請求項４】
請求項３記載の被彫刻媒体固定構造であって、
前記多孔平面部嵌合凹部の底部に設けられ前記多孔平面部の裏面を支持して吸着固定による該多孔平面部の変形を抑える変形規制突部を複数備えた、
ことを特徴とする被彫刻媒体固定構造。
【請求項５】
請求項１〜４の何れか1項記載の被彫刻媒体固定構造であって、
前記吸気部は、前記多孔平面部の裏面側に接続され前記吸引を行うと共に切り替えにより吹き出しを可能とした、
ことを特徴とする被彫刻媒体固定構造。
【請求項６】
請求項１〜５の何れか1項記載の被彫刻媒体固定構造であって、
前記吸気部の吸気圧を検出する圧力検出部を備え、
前記彫刻を可能とする圧力状態を前記圧力検出部により検出する、
ことを特徴とする被彫刻媒体固定構造。
【請求項７】
請求項１〜６の何れか1項記載の被彫刻媒体固定構造であって、
前記多孔平面部は、前記彫刻針に対して往復平面駆動される被彫刻媒体セット台に設けられ、
前記被彫刻媒体セット台に、前記多孔平面部に対して薄板状の被彫刻媒体を位置決める薄板状被彫刻媒体ストッパーを着脱自在に備え、
前記被彫刻媒体セット台に、前記多孔平面部に対して前記薄板状被彫刻媒体ストッパーを外した状態で前記シート状の被彫刻媒体を挿入ガイドするシート状被彫刻媒体ガイド部及び前記シート状の被彫刻媒体を検出するシート状被彫刻媒体判別センサーを有するセンサー窓を備えた、
ことを特徴とする被彫刻媒体固定構造。
【発明の詳細な説明】
【技術分野】
【０００１】
本発明は、シート状部材等の被彫刻媒体を画像彫刻装置に固定する被彫刻媒体固定構造に関する。
【背景技術】
【０００２】
従来、シート状やカード状等の被彫刻媒体に画像彫刻を施して偽造防止や美的付加価値の付与に用いられる画像彫刻装置が知られている（例えば、特許文献１）。
【０００３】
このような画像彫刻装置は、画像データを電気信号に変換した画像信号に基づいて振動する彫刻針により微細彫刻を行ない、写真や図形等の画像を媒体上に生成するものである。
【０００４】
かかる装置による微細彫刻に際しては、シート状やカード状等の被彫刻媒体を確実に位置決め固定し、且つ振動する彫刻針により確実に微細彫刻できるように支持固定する必要がある。
【０００５】
従来の固定装置は、把持板及び蓋を備えたアダプタであり、把持板に位置決め用の溝と、この溝に形成された空気孔とを備えたものである。
【０００６】
彫刻に際しては、被彫刻媒体を把持板上にセットして蓋により挟み込み、空気孔から吸引して溝を介し被彫刻媒体の裏面を把持板上に固定するものである。
【０００７】
しかし、このような構造では、溝を介し被彫刻媒体の裏面を把持板上に吸着固定するものであるため、被彫刻媒体の彫刻部と把持板との間の密着性に難点があり、微細彫刻に悪影響を及ぼしていた。
【先行技術文献】
【特許文献】
【０００８】
【特許文献１】特開２００２−８６９９３号公報
【発明の概要】
【発明が解決しようとする課題】
【０００９】
解決しようとする問題点は、被彫刻媒体の彫刻部と把持板との間の密着性に難点があり、微細彫刻に悪影響を及ぼしていた点である。
【課題を解決するための手段】
【００１０】
本発明は、被彫刻媒体の密着性を向上させ、微細彫刻を正確に行わせることを可能とするため、彫刻信号に基づいて振動する彫刻針によりシート状又は薄板状の被彫刻媒体の表面に彫刻する画像彫刻装置に前記被彫刻媒体を吸着固定する被彫刻媒体固定構造であって、前記被彫刻媒体を吸着固定しながら前記彫刻を可能とする微細孔が平坦な表面に密に開口した多孔平面部と、前記微細孔からの吸引を行わせるための吸気部とを備えたことを特徴とする。
【発明の効果】
【００１１】
本発明の画像彫刻装置の被彫刻媒体固定構造は、上記構成であるから、多孔平面部の平坦な表面に被彫刻媒体を吸着固定し、この多孔平面部上で被彫刻媒体の表面に微細彫刻を正確に行わせることができる。
【図面の簡単な説明】
【００１２】
【図１】画像彫刻装置の一部透視斜視図である。（実施例１）
【図２】被彫刻媒体固定構造の吸引回路概念図である。（実施例１）
【図３】用紙セット台の斜視図である。（実施例１）
【図４】用紙セット台を裏面側から見た斜視図である。（実施例１）
【図５】図３のＶ−Ｖ線矢視における用紙セット台の断面図である。（実施例１）
【図６】用紙セット台から吸着ベースを取り外して示すセット台ベースの斜視図である。（実施例１）
【図７】用紙セット台から吸着ベースを取り外し裏面側から見たセット台ベースの斜視図である。（実施例１）
【図８】吸着ベースの平面図である。（実施例１）
【図９】多孔平面部を取り外した吸着ベースの平面図である。（実施例１）
【図１０】図８のＸ−Ｘ線矢視における吸着ベースの断面図である。（実施例１）
【図１１】カードストッパーの平面図である。（実施例１）
【図１２】カードストッパーの正面図である。（実施例１）
【発明を実施するための形態】
【００１３】
被彫刻媒体の密着性を向上させ、微細彫刻を正確に行わせることを可能にするという目的を、彫刻信号に基づいて振動する彫刻針によりシート状又は薄板状の被彫刻媒体の表面に彫刻する画像彫刻装置に前記被彫刻媒体を吸着固定する被彫刻媒体固定構造であって、前記被彫刻媒体を吸着固定しながら前記彫刻を可能とする微細孔が平坦な表面に密に開口した多孔平面部と、前記微細孔からの吸引を行わせるための吸気部とを備えたことにより実現した。
【実施例１】
【００１４】
［画像彫刻装置］
図１は、画像彫刻装置の一部透視斜視図である。なお、以下の説明において、Ｘ軸方向とは、装置を正面から見た左右方向であり用紙セット台の往復移動方向、Ｙ軸方向とは、装置を正面から見た奥行き方向であり用紙セット台の往復移動方向に直交する彫刻ヘッドの移動方向、Ｚ軸方向とは、水平状態に設置した装置の上下方向であり、彫刻ヘッドの往復彫刻動作方向を意味する。上下とは、水平状態に設置した装置の上下、左右とは装置を正面から見た左右、手前とは、装置を正面から見た手前、奥とは、装置を正面から見た奥を意味する。
【００１５】
図１、図２のように、画像彫刻装置１は、制御装置等が格納されている装置本体（図示省略）の上部に彫刻機構部３が取り付けられ、彫刻機構部３のベースパネル５上に用紙セット台７及び彫刻ヘッド９が備えられている。
【００１６】
前記用紙セット台７は、微細彫刻のために被彫刻媒体をセットする被彫刻媒体セット台構成する。この用紙セット台７は、Ｘ軸駆動機構８上に取り付けられ、彫刻ヘッド９の彫刻針に対しＸ軸方向に往復平面駆動されるものである。用紙セット台７は、彫刻ヘッド９の動作との関係で被彫刻媒体に彫刻ができればよく、ＸＹ軸方向それぞれに往復平面駆動制御させることもでき、Ｙ軸方向にのみ往復平面駆動制御させることもできる。用紙セット台７についての詳細は後述する。
【００１７】
前記彫刻ヘッド９は、Y軸駆動機構１１及びＺ軸駆動機構１３に連動結合され、Ｙ軸方向及びＺ軸方向に往復駆動制御されるものである。
【００１８】
この彫刻ヘッド９には、振動発生機構１５が設けられている。振動発生機構１５は、永久磁石側に対して電磁石側がばねによりフローティング支持され、永久磁石側及び電磁石側間の作用とばねの作用とにより電磁石側が、微小に揺動振動回転する。
【００１９】
このような微小振動により、コイルへの通電の切り換えを彫刻信号に基づいて行わせることで、画像データを電気信号に変換した信号に基づいて彫刻針を振動させ、前記Ｘ軸方向、Ｙ軸方向、Ｚ軸方向の動作と共に、彫刻針によりシート状又は薄板状の被彫刻媒体の表面に微細彫刻することができる。
【００２０】
［被彫刻媒体固定構造］
前記微細彫刻に際しては、用紙セット台７に対するシート状又は薄板状の被彫刻媒体のセットを密着性高く行う必要がある。被彫刻媒体としては、クレジットカード、免許証、社員証、パスポート、卒業証書等がある。この被彫刻媒体は、表面に彫刻層を備えたものであり、彫刻により画像を例えば透かし彫り表示することができる。
【００２１】
図２は、被彫刻媒体固定構造の吸引回路概念図である。この図２の吸引回路１７により密着性の高いセットを行わせ、微細彫刻の精度を向上させる。
【００２２】
図２のように、吸引回路１７は、多孔平面部材１９及び吸気部２１を備えている。
【００２３】
多孔平面部材１９は、用紙セット台７に備えられた吸着ベース２０に設けられたものであり、被彫刻媒体を吸着固定しながら前記微細彫刻を可能にするために微細孔が平坦な表面に密に開口した多孔平面部材１９ａを有するものである。吸着ベース２０及び多孔平面部材１９の詳細は後述する。
【００２４】
吸気部２１は、多孔平面部材１９の微細孔からの吸引を行わせるための機構であり、真空ポンプ２３が電磁弁２５を介して多孔平面部材１９側に接続されている。真空ポンプ２３の吸込み口２３ａには、吸気部２１の吸気圧を検出する圧力検出部として圧力スイッチ２７が直接接続され、且つ電磁弁２５を介してエアフィルタ２９が選択的に接続可能となっている。
【００２５】
したがって、電磁弁２５を図２の状態の吸込み位置２５ａにすると吸込み口２３ａが多孔平面部材１９側に連通し、吐出口２３ｂ側が大気に開放される。
【００２６】
したがって、真空ポンプ２３の稼働により多孔平面部材１９の微細孔からの吸引を行わせ、多孔平面部材１９に被彫刻媒体を密着性良く吸着固定させる。
【００２７】
このとき、圧力スイッチ２７の圧力検出により彫刻を可能とする圧力状態、例えば５０ＫＰａ以上とすることで、被彫刻媒体の膨らみやずれ等の無い状態を検出し、彫刻可能な正確な位置での密着状態を知ることができる。この圧力検出により、彫刻ヘッド９等を自動で動作させることもできる。圧力状態５０ＫＰａ以上は、被彫刻媒体の膨らみやずれ等の無いことを検出できるものとして実験的に求めたものである。
【００２８】
電磁弁２５が図２の状態から吐出位置２５ｂに切り換えられると吐出口２３ｂが多孔平面部材１９側に連通し、エアフィルタ２９が吸込み口２３ａ側に接続される。
【００２９】
したがって、吸気部２１により多孔平面部材１９の多孔平面部１９ａから吸引を行うと共に、電磁弁２５の切り替えにより多孔平面部１９ａからエア吹き出しを可能とした。すなわち、電磁弁２５を切り替えると、真空ポンプ２３の稼働により多孔平面部材１９の微細孔からのエア吐出を行わせ、吸着した被彫刻媒体の取り外しが可能となる。また、エア吐出しにより、多孔平面部材１９に残存する彫刻かす等の吹き飛ばしを行わせ、次の彫刻をクリーンな状態で行わせ、正確な彫刻が可能となる。この吹き飛ばしのエアは、吸込み口２３ａからエアフィルタ２９を介して吸引される。エアフィルタ２９を介することで電磁弁２５を保護し、多孔平面部材１９の背面に埃等が付着するのを防止でき、多孔平面部材１９の微細孔による確実な吸着を長く維持させることができる。
【００３０】
なお、電磁弁２５の切り換えは、手動の押し釦、或いは多孔平面部材１９に被彫刻媒体をセットしたことを検出する信号、その他の自動化の信号により行わせることができる。本実施例のように手動の押し釦で行うときは、被彫刻媒体の吸着及び取り外し、彫刻カスの吹き飛ばしを１個の押し釦により容易に行わせることができる。
【００３１】
図３は、用紙セット台の斜視図、図４は、用紙セット台を裏面側から見た斜視図、図５は、図３のＶ−Ｖ線矢視における用紙セット台の断面図である。
【００３２】
図３〜図５のように、用紙セット台７は、セット台ベース３１に前記吸着ベース２０が嵌合して取り付けられたものである。この吸着ベース２０は、前記のように多孔平面部材１９を備え、吸着ベース２０の背面にセット台ベース３１の下面側から吸引口３５が取り付けられている。吸引口３５は、図２の電磁弁２５に接続され、前記のように真空ポンプ２３による多孔平面部材１９の多孔平面部１９ａの微細孔からの吸引を可能とする。
【００３３】
セット台ベース３１に備えた基準面３１ａには、カードストッパー３７、セットガイドシャフト３９、用紙ガイド４１、用紙ストッパー４３、用紙押さえ４５が取り付けられている。
【００３４】
カードストッパー３７は、多孔平面部材１９に対してクレジットカード等の薄板状の被彫刻媒体を位置決める薄板状被彫刻媒体ストッパーを構成する。このカードストッパー３７は、セット台ベース３１側の永久磁石（図示せず。）と後述する凹凸部とによりセット台ベース３１に着脱自在に位置決められている。
【００３５】
セットガイドシャフト３９は、用紙ガイド４１、用紙ストッパー４３、用紙押さえ４５と共に多孔平面部材１９に対してシート状の被彫刻媒体、例えば卒業証書のようなシート状の用紙を挿入ガイドするシート状被彫刻媒体ガイド部の一部を構成する。
【００３６】
このセットガイドシャフト３９は、セット台ベース３１の手前側に配置され、両端がセット台ベース３１にビス止めされている。このセットガイドシャフト３９は、セット台ベース３１との間に挿入口３９ａを形成し、吸着ベース２０に対して卒業証書のようなシート状の用紙を挿入ガイドすることを可能とする。挿入口３９ａのサイズは、例えばＡ４等の用紙サイズに合わせてあるが、他のサイズに構成することもでき、セット台ベース３１及びセットガイドシャフト３９を伸縮スライド構造として挿入口３９ａのサイズを自由に変更する構成にすることも可能である。
【００３７】
用紙ガイド４１は、セット台ベース３１の右端部上に配置され、右端縁部がスペーサ４１ａを介してビス止めされ、片持ち状の支持となっている。したがって、用紙ガイド４１は、基準面３１ａとの間に隙間を形成し、この隙間は、用紙挿入方向に貫通している。この用紙ガイド４１により、挿入口３９ａから挿入された用紙の右縁部を基準面３１ａに対して挿入ガイドする。
【００３８】
用紙ストッパー４３は、用紙ガイド４１に対応してセット台ベース３１の奥側縁部に取り付けられ、用紙ガイド４１により挿入ガイドされた用紙を突き当てて位置決める。
【００３９】
用紙押さえ４５は、セット台ベース３１の左側で奥側縁部に取り付けられ、基準面３１ａ上に片持ち状に臨み、基準面３１ａとの間に用紙押さえ用の隙間を形成している。この用紙押さえ４５により挿入口３９ａから挿入された用紙の左側を基準面３１ａとの間で押さえることができる。
【００４０】
前記用紙ガイド４１には、センサー窓４７が形成され、センサー窓４７の下方でセット台ベース３１にメディア厚さ判別用センサー４９が取り付けられている。このメディア厚さ判別用センサー４９は、卒業証書のようなシート状の被彫刻媒体を検出するシート状被彫刻媒体判別センサーを構成する。メディア厚さ判別用センサー４９が検出信号を出力することで卒業証書等の用紙が挿入されたことが判別される。この判別有無により、各部の駆動制御が用紙用、カード用等と自動的に切り換えられる。なお、この切り換えを手動で行わせることもできる。
【００４１】
図６は、用紙セット台から吸着ベースを取り外して示すセット台ベースの斜視図、図７は、用紙セット台から吸着ベースを取り外し裏面側から見たセット台ベースの斜視図である。
【００４２】
図６、図７のように、用紙セット台７のセット台ベース３１には、基準面３１ａの中央部に前記吸着ベース２０を嵌合させる矩形の吸着ベース嵌合凹部３１ｂが設けられている。吸着ベース嵌合凹部３１ｂ内中央には、吸気部２１を前記吸着ベース２０に接続するために貫通部３１ｃが形成されている。吸着ベース嵌合凹部３１ｂ内の四隅には、前記吸着ベース２０の四隅を受けるための吸着ベース受け部３１ｄが形成されている。吸着ベース受け部３１ｄは、平坦に形成され、吸着ベース受け部３１ｄ相互間は、凹部により形成された連結部３１ｅにより結合され、支持強度が保持されている。
【００４３】
セット台ベース３１の基準面３１ａには、吸着ベース嵌合凹部３１ｂの縁部に対応して前記カードストッパー３７を位置決めるための位置決め凹部３１ｆが二箇所に形成され、この位置決め凹部３１ｆに対応してセット台ベース３１には、カードストッパー３７を吸着して位置決める永久磁石（図示せず。）が内蔵されている。
【００４４】
セット台ベース３１の右端側には、前記用紙ガイド４１のセンサー窓４７が対向するセット台ベース３１側のセンサー窓３１ｇが設けられている。このセンサー窓３１ｇ内に、前記メディア厚さ判別用センサー４９が配置固定されている。
【００４５】
図８は、吸着ベースの平面図、図９は、多孔平面部を取り外した吸着ベースの平面図、図１０は、図８のＸ−Ｘ線矢視における吸着ベースの断面図である。
【００４６】
前記吸着ベース２０は、前記多孔平面部材１９を吸着ベース本体５１に面一に支持した構成となっている。この吸着ベース２０は、前記吸着ベース嵌合凹部３１ｂに嵌合して取り付けられ、吸着ベース受け部３１ｄにビス止め固定される。
【００４７】
多孔平面部材１９は、例えばアルミナとエポキシ樹脂との混合により形成された板材（「ポーラスアルミ板（製品名）」スイスのポーテック社（Ｐortec Ltd.,）製）を用いている。
【００４８】
多孔平面部材１９には、表裏に連通する微細孔が無数に形成され、特に基準面３１ａと面一となる多孔平面部１９ａには、平均１６〜２０μｍ、好ましくは１８μｍの微細孔が無数に開口している。
【００４９】
多孔平面部１９ａでの微細孔の孔径は、シート状、薄板状等の被彫刻媒体を吸着し、そのままその上で前記彫刻を行わせることで微細彫刻ができるものとして選定してある。例えばクレジットカードや卒業証書等の用紙の吸着であれば、真空度-０．５ｂａｒ以上で３Ｎ・ｍｍ２以上の吸着力を設定し、微細彫刻ができるように選定している。
【００５０】
この多孔平面部材１９は、良好な空気透過性と機械強度とを備え、背面側からの吸引により多孔平面部１９ａでの被彫刻媒体の吸着固定を可能とする。多孔平面部材１９の平面精度は、本実施例において１０μｍ以下に加工され、被彫刻媒体の吸着固定を行いながら精度の高い彫刻を可能としている。
【００５１】
微細孔の大きさ及び平面精度は、実験的に求めたものであり、クレジットカードや卒業証書等の被彫刻媒体を平面状態に吸着固定しながら微細彫刻を正確に行わせることができるものとして設定した。本願発明者等による実験において、平均１００μｍ程度までは、クレジットカードや卒業証書等の被彫刻媒体の吸着固定及び微細彫刻に問題は無かった。
【００５２】
なお、吸着固定する被彫刻媒体は、スルーホールが無く、多孔平面部１９ａに吸着できる程度の平面度が要求されることになる。
【００５３】
吸着ベース本体５１は、前記吸着ベース嵌合凹部３１ｂに密に嵌合し、表面５１ａが用紙セット台７の基準面３１ａと隙間なく面一となるように外周形状及び厚みの形状設定がなされている。
【００５４】
この吸着ベース本体５１には、中央部に多孔平面部材１９を嵌合させて取り付けるための多孔平面部嵌合凹部５１ｂが形成されている。多孔平面部嵌合凹部５１ｂの内周には、多孔平面部受け部５１ｃが連続して設けられている。この多孔平面部受け部５１ｃに受けられ多孔平面部嵌合凹部５１ｂに嵌合する多孔平面部材１９の多孔平面部１９ａが吸着ベース本体５１の表面５１ａと隙間なく面一となるように多孔平面部嵌合凹部５１ｂの内周形状及び多孔平面部受け部５１ｃまでの深さの形状設定がなされている。
【００５５】
多孔平面部嵌合凹部５１ｂ内には、多孔平面部受け部５１ｃよりも深い底部５１ｄが形成され、多孔平面部材１９が多孔平面部受け部５１ｃに受けられた状態で該多孔平面部材１９の裏面と底部５１ｄとの間に空間部５３を形成する。
【００５６】
多孔平面部嵌合凹部５１ｂの底部５１ｄ中央には、接続孔５１ｅが設けられている。この接続孔５１ｅは、吸引口３５を取り付けて前記吸気部２１を空間部５３に連通接続させるためのものである。
【００５７】
多孔平面部嵌合凹部５１ｂの底部５１ｄには、変形規制突部５１ｆが複数備えられている。この変形規制突部５１ｆが接続孔５１ｅの回りで多孔平面部材１９の裏面を支持する。この支持により吸着固定による多孔平面部材１９の変形を抑え、より精度の高い彫刻を可能としている。
【００５８】
図１１は、カードストッパーの平面図、図１２は、カードストッパーの正面図である。
【００５９】
図１１、図１２のように、カードストッパー３７は、磁石で吸着されるように磁性体によりカード等に合わせた厚みで平板状に形成され、平面視で直角定規形状となっている。カードストッパー３７の内角部には、逃げ部３７ａが切欠かれている。カードストッパー３７の下面には、位置決め突部３７ｂが２箇所に形成されている。この位置決め突部３７ｂが位置決め凹部３１ｆに嵌合して基準面３１ａ上で吸着ベース２０の多孔平面部材１９に対する位置決めが行われる。
【００６０】
［カードへの彫刻］
用紙セット台７に、磁着と位置決め突部３７ｂ及び位置決め凹部３１ｆとによりカードストッパー３７を位置決める。
【００６１】
カードストッパー３７の内二辺に、彫刻しようとするクレジットカード等の二辺を突き当てて位置決め、多孔平面部材１９上にセットする。
【００６２】
押し釦操作により電磁弁２５を図２の状態の吸込み位置２５ａにすると吸込み口２３ａが多孔平面部材１９側に連通し、吐出口２３ｂ側が大気に開放される。
【００６３】
したがって、真空ポンプ２３の稼働により電磁弁２５、吸引口３５、接続孔５１ｅを介して空間部５３からの吸気が行われ、この吸気により多孔平面部材１９の多孔平面部１９ａから微細孔を通して吸気が行われ、クレジットカードが位置決められつつ多孔平面部１９ａに吸着される。
【００６４】
このとき圧力センサー２７の検出圧力が例えば５０ＫＰａ以上であると、被彫刻媒体の膨らみやずれ等が無いと判断して用紙セット台７及び彫刻ヘッド９が手動又は自動により駆動され、クレジットカードに写真等を写した微細彫刻が施される。
【００６５】
彫刻完了後は、電磁弁２５が図２の状態から吐出位置２５ｂに切り換えられる。この切り換えにより多孔平面部材１９の多孔平面部１９ａの微細孔からのエア吐出を行わせ、吸着したクレジットカードの取り外しを容易に行うことができる。また、エア吐出しにより、多孔平面部材１９の多孔平面部１９ａに残存する彫刻かす等を吹き飛ばすことができる。
【００６６】
［卒業証書等への彫刻］
用紙セット台７のカードストッパー３７をワンタッチで取り外し、挿入口３９ａから卒業証書等の用紙を、用紙ガイド４１にガイドさせながら用紙ストッパー４３に突き当るまで挿入し、用紙押さえ４５で押さえさせる。
【００６７】
この状態で前記同様に吸引して彫刻を行わせ、吐出により取り外しを行わせることができる。
【符号の説明】
【００６８】
１  画像形成装置
７  用紙セット台（被彫刻媒体セット台）
１７  吸気部
１９  多孔平面部材
１９ａ  多孔平面部
２０  吸着ベース
２７  圧力スイッチ（圧力検出部）
３１ａ  基準面
３１ｂ  吸着ベース嵌合凹部
３１ｃ  貫通部
３１ｄ  吸着ベース受け部
３１ｇ  センサー窓
３７  カードストッパー（薄板状被彫刻媒体ストッパー）
３９  セットガイドシャフト（シート状被彫刻媒体ガイド部）
４１  用紙ガイド（シート状被彫刻媒体ガイド部）
４３  用紙ストッパー（シート状被彫刻媒体ガイド部）
４５  用紙押さえ（シート状被彫刻媒体ガイド部）
４７  センサー窓
４９  メディア厚さ判別用センサー（シート状被彫刻媒体判別センサー）
５１  吸着ベース本体
５１ｂ  多孔平面部嵌合凹部
５１ｃ  多孔平面部受け部
５１ｄ  多孔平面部嵌合凹部の底部
５１ｅ  接続孔
５１ｆ  変形規制突部
【図１】
2015171764.tif 000003
【図２】
2015171764.tif 000004
【図３】
2015171764.tif 000005
【図４】
2015171764.tif 000006
【図５】
2015171764.tif 000007
【図６】
2015171764.tif 000008
【図７】
2015171764.tif 000009
【図８】
2015171764.tif 000010
【図９】
2015171764.tif 000011
【図１０】
2015171764.tif 000012
【図１１】
2015171764.tif 000013
【図１２】
2015171764.tif 000014